(57)【要約】【課題】より良好な作業性で、導電端子上の所定位置へのアンプ端子の誤挿入をより正確に防止する。【解決手段】  アップしている座金付のねじ１の下方先端部と、端子３のねじ穴２から突出したピンガイド部材８の先端部８ａとの間隙は、従来の端子入口部の両突出部上とねじの下方先端部との隙間に比べて十分に広く、アンプ端子７の奥側への挿入が容易で、かつ、アンプ端子７のねじ用穴７ａ内にその先端部８ａを通して引っ掛けるという明確な動作確認を通して、アンプ端子７のねじ用穴を端子３のねじ穴２上の最適位置にアンプ端子７をセットすることができるため、より良好な作業性で、従来のようにアンプ端子７の先端部分だけが座金１ａで押さえ付けられる誤挿入状態はなくなる。【選択図】  図１
2006318875.tif 000002
【特許請求の範囲】
【請求項１】
両側に締結用のねじ穴を持つ短冊状の導電端子と、該導電端子を保持する絶縁ユニットとを有する端子台において、
該ねじ穴からピン先端部が突出方向に付勢された状態で出退自在に構成されたピンガイド手段が設けられた端子台。
【請求項２】
両側に締結用のねじ穴を持つ短冊状の導電端子と、該導電端子を保持する絶縁ユニットとを有する端子台において、
該絶縁ユニットに、圧着端子の外形形状を規制して該圧着端子が誤挿入される圧着端子挿入口部に該圧着端子がセットできないように突出している突出部が設けられた端子台。
【請求項３】
両側に締結用のねじ穴を持つ短冊状の導電端子と、該導電端子を保持する絶縁ユニットとを有する端子台において、
該絶縁ユニットに、圧着端子の外形形状を規制して該圧着端子が誤挿入される圧着端子挿入口部に該圧着端子がセットできないように突出している突出部が設けられ、
該ねじ穴からピン先端部が突出方向に付勢された状態で出退自在に構成されたピンガイド手段が設けられた端子台。
【請求項４】
前記ピンガイド手段は、前記ピン先端部が前記ねじ穴から上側に出退自在に設けられ、ピン途中にストッパ部を持つピンガイド部材と、該ピンガイド部材に付勢力を付与するばね部材とを有する請求項１または３に記載の端子台。
【請求項５】
前記絶縁ユニットによって前記導電端子の表面に対して垂直方向に移動自在にガイドされる座金を持つ座金付のねじと、該座金付のねじの下端部が前記ねじ穴から離間する方向に該座金付のねじに付勢力を付与するばね部材とを有して、ねじアップ機能を持つ請求項１〜３のいずれかに記載の端子台。
【請求項６】
前記座金は、ねじを保持するねじ保持用穴を持つ座金部材と、該座金部材の一部からＬ字状に連設される支持部材とを有し、該支持部材の下方側に、前記ばね部材として圧縮ばねが取り付けられている請求項５に記載の端子台。
【請求項７】
前記座金は、前記支持部材の先端部分に、前記ピンガイド手段を前記ねじ穴から突出する突出方向に、前記ばね部材により付勢するための突起部を有している請求項５または６に記載の端子台。
【請求項８】
前記座金は、前記支持部材の先端部分が折り返されて、上方に開放するコ字状に屈曲され、その折り返し部分の下部側に前記ばね部材として圧縮ばねが取り付けられ、該圧縮ばねの付勢力により、該コ字状に屈曲した先端部が前記導電端子のねじ穴を下から上に貫通して突出している請求項５または６に記載の端子台。
【請求項９】
前記絶縁ユニットは、複数個その厚み方向に連結可能とされ、該絶縁ユニットのそれぞれに、少なくとも前記導電端子が収容されている請求項１〜３のいずれかに記載の端子台。
【請求項１０】
前記絶縁ユニットは、前記導電端子を挟んで絶縁する隔壁から突出し、該隔壁間の片側または両側に設けられた圧着端子誤挿入規制用のガイドリブ部を有している請求項２または３に記載の端子台。
【請求項１１】
前記ガイドリブ部は、その上面部が手前側で高く奥側で低いテーパ状に形成されている請求項１０に記載の端子台。
【発明の詳細な説明】
【技術分野】
【０００１】
本発明は、例えば原子力発電所、火力発電所および変電所などの配電盤、制御盤および監視盤などに用いられる配線中継および分岐装置としての例えばねじアップ式端子台などの端子台に関する。
【背景技術】
【０００２】
従来、この種の端子台としては、ねじを締結して端子を介して配線を連結する配線中継および分岐装置としての通常の端子台の他に、ねじアップ式端子台などがある。このねじアップ式端子台は、導体端子のねじ穴からねじを回転離脱させた状態で導体端子面に対して垂直方向にねじを座金と共に上方に離間（ばねによるアップ移動）させ、導体端子面のねじ穴と、その離間しているねじの下端との間に電線先端部の圧着端子を挿入してドライバの先短部などでねじ頭を押し下げてねじ締結を行うことにより、ねじ締結作業を容易かつ素早く、ねじの落下なく安全にすることができる。この種のねじアップ式端子台は、例えば特許文献１に開示されている。
【０００３】
図１０は、特許文献１に開示されている従来のねじアップ式端子台の構成例を示す斜視図、図１１は、図１０のねじアップ式端子台のねじ締結前の状態を示す部分断面図、図１２は、図１０のねじアップ式端子台のねじ締結後の状態を示す部分断面図である。
【０００４】
図１０〜図１２において、従来のねじアップ式端子台１００は、座金付のねじ１０１と、短冊状の金属板の両端部に締結用のねじ穴１０２を持つ端子１０３と、この端子１０３を保持すると共に端子１０３に対して垂直方向に座金付のねじ１０１を上下移動（アップ・ダウン）自在にガイドする絶縁部材からなるユニット１０４と、座金付のねじ１０１の下端部がねじ穴１０２から離間する方向（垂直方向）に、座金付のねじ１０１に付勢力を付与するつる巻ばね１０５とを有している。
【０００５】
このユニット１０４は複数個その厚み方向に連結され、ユニット１０４のそれぞれに、座金付のねじ１０１、端子１０３およびつる巻ばね１０５を収容している。
【０００６】
座金付のねじ１０１は、ねじをその先端部分から座金１０１aのねじ保持用穴内に通した後に座金１０１aを加締めることにより、ねじ首が端子１０３の穴内で遊環状態で保持されるようになっている。この座金１０１aは、手前側端面が両側からフォーク状に二本突き出た後に下方にＬ字状に曲がり、その折れ曲がった各先端部１０１ｂにより、電線１０６に加締められた圧着端子（アンプ端子）１０７の締め付け位置（挿入位置）の正誤を検出するようになっている。
【０００７】
即ち、端子１０３上にアンプ端子１０７が正常に位置して、端子１０３のねじ穴１０２と、アンプ端子１０７のねじ用穴１０７ａとが一致している場合には、ねじ締結するために座金付のねじ１０１を座金１０１ａと共に押し下げると、二本のフォーク状に下方に折れ曲がった各先端部１０１ｂは、アンプ端子１０７の加締め部近傍の括れ部分を両側から挟むように下降して、問題なくねじ締結が行われる。
【０００８】
ところが、端子１０３上にアンプ端子１０７が正常に位置していない、例えば端子１０３のねじ穴１０２とアンプ端子１０７のねじ用穴１０７ａとが手前側に大きくずれている場合には、ねじ締結するために座金付のねじ１０１を座金１０１ａと共に押し下げると、二本のフォーク状に下方に折れ曲がった各先端部１０１ｂは、アンプ端子１０７のねじ用穴１０７ａの膨れた環状周囲部分上に当たって、それ以上座金付のねじ１０１を押し下げることができず、ねじ締結をすることができなくなる。これによって、電線１０６先端部のアンプ端子１０７の誤挿入（締め付け位置の正誤）を検出できる。
【０００９】
このアンプ端子１０７の誤挿入状態とは、アンプ端子１０７の先端部分だけが座金１０１ａで押さえ付けられている状態のことである。即ち、アンプ端子１０７のねじ用穴１０７ａに座金付のねじ１０１が通って端子１０３のねじ穴１０２に螺合していない状態のことである。
【００１０】
ここで、アンプ端子１０７の誤挿入状態について、更に図１３（ａ）〜図１３（ｃ）を用いて説明する。
【００１１】
図１３（ａ）は、アンプ端子の誤挿入状態を説明するための端子台1ユニット分の要部構成例を示す上面図、図１３（ｂ）はその側面図、図１３（ｃ）はその正面図である。
【００１２】
図１３（ａ）〜図１３（ｃ）では、左側のアンプ端子が誤挿入状態で、右側の二枚のアンプ端子のうち下側のアンプ端子が誤挿入状態である。いづれもアンプ端子の先端部だけが座金で押さえられて固定されている状態である。このように、ねじがアンプ端子のねじ用穴に貫通して締結されていない誤挿入状態では、外側方向に力Ｆがかかると、容易にアンプ端子は抜け落ちてしまう。これが重要な配線であれば大きなシステム全体が停止することもあり得る。特に、右側の二枚のアンプ端子のうち下側のアンプ端子の誤挿入状態は、目視で検出するのも困難である。
【００１３】
このようなアンプ端子１０７の誤挿入状態を防止するために、前述した図１０〜図１２の従来のねじアップ式端子台１００では、座金１０１ａに、誤挿入検出用として、二本のフォーク状に下方に折れ曲がった各先端部１０１ｂを設けていたが、アンプ端子が正しい位置に挿入されるように、ユニット側に挿入位置規制用の突出部材を設けた別の事例も同じ特許文献１に開示されている。次に、これについて図１４〜図１６を用いて説明する。
【００１４】
図１４は、特許文献１に開示されている従来のねじアップ式端子台の別の構成例を示す上面図、図１５は、図１４のねじアップ式端子台のねじ締結途中の状態を示す部分断面図、図１６は、図１４のねじアップ式端子台が複数連結された状態を示す正面図である。
【００１５】
図１４〜図１６では、上記従来のねじアップ式端子台１００と従来のねじアップ式端子台１００Ａとの異なる点について説明し、同様の作用効果を奏する部材には同一の符号を付している。
【００１６】
その異なる点は、アンプ端子１０７の誤挿入規制のために、ユニット１０４Ａの隔壁に、ユニット１０４Ａの端子１０３への入口部分に間口が狭くなる方向に両側から突出している突出部１０４ａが設けられている点である。即ち、アンプ端子１０７の誤挿入を規制するために、二本のフォーク状に下方に折れ曲がった各先端部１０１ｂの代わりに、端子１０３への入口部分に両突出部１０４ａをユニット１０４Ａの両隔壁からそれぞれ突出させている。
【００１７】
このように、両突出部１０４ａを、ユニット１０４Ａの入口部に、ユニット１０４Ａの両隔壁から突出させて設けているため、アンプ端子１０７が手前側に中途半端な入れ方の場合に、アンプ端子１０７がその両突出部１０４ａに乗り上げて浮いて傾くことで誤挿入であるとユーザが判るようになっている。アンプ端子１０７の加締め部分およびその近傍位置の括れ部が両突出部１０４ａ間に入って位置していれば、アンプ端子１０７の正確な挿入であり、この場合には、膨れた部分のアンプ端子１０７が両突出部１０４ａの奥側に嵌り込んで手前側に電線１０６を引っ張っても、その両突出部１０４ａによって抜けず、常に誤挿入なくアンプ端子１０７を端子１０３のねじ穴１０２上に性格にセットすることができる。なお、１０１Ｃは座金である。
【特許文献１】特開２００１−５２７７６号公報
【発明の開示】
【発明が解決しようとする課題】
【００１８】
前述したように、アンプ端子１０７の誤挿入防止対策を端子台側で実施したのが、二本のフォーク状に折れ曲がった各先端部１０１ｂ（座金の突出部）や、端子入口部分のユニット突出部１０４ａである。座金の突出部は、座金１０１ａにアンプ端子１０７の誤挿入を防止する金具がフォーク状に突出しており、これが端子入口部分のユニット突出部１０４ａの役割をしている。両者の違いは、ユニット突出部１０４ａの場合は、まずはアンプ端子１０７が適切な位置にセットでき、始から不適切な位置にはセットできないのに対して、座金の突出部の場合は、アンプ端子１０７が適切な位置にセットされようが不適切な位置にセットされようが、後からの検出型である点で両者は異なっている。ユニット突出部１０４ａの方が、アンプ端子１０７を不適切な位置に始からセットできないようにする点で、セットの後工程で誤挿入を検出する座金の突出部（先端部１０１ｂ）よりも勝っている。両者を組み合わせようとしても、座金の突出部（先端部１０１ｂ）とユニット突出部１０４ａとがお互い邪魔し合ってねじ締結ができないので、両者は、組み合わせることができず、別々にしか用いることができない。
【００１９】
このような上記従来のユニット突出部１０４ａで誤挿入防止対策とする場合は、ねじアップ式端子台１００Ａにおいて、アンプ端子１０７を端子１０３上の適切な所定位置にセットしてねじ締結する際に、端子入口部の両突出部１０４ａ上と、座金付のねじ１０１のねじ先端部分との隙間から、アンプ端子１０７を、両突出部１０４ａの奥側に挿入して、これを端子１０３上の適切な所定位置にセットする必要があり、これではアンプ端子１０７の奥側への挿入がしにくく作業性が悪く、そのために、作業量が大量の場合など、突出部１０４ａ上にアンプ端子１０７を乗り上げた状態でねじ締めが為される虞もある。
【００２０】
一方、座金の突出部（先端部１０１ｂ）で誤挿入防止対策とする場合は、前述したように、アンプ端子１０７の端子１０３上の適切な所定位置へのセットの良否に関わらず、ねじ締め付け時のみその良否を検出できることから、急いで作業をしていると、そのセットの位置が悪く、やり直すことで作業性が悪化する。また、ねじ締め時に座金１０１ａも共回りして検出用の座金の突出部（先端部１０１ｂ）が振れたり、アンプ端子１０７のねじ用穴１０７ａが正確な位置にセットされても、アンプ端子１０７の加締め部が振れたりすると、やはりその加締め部に検出用の座金の突出部（先端部１０１ｂ）が当たってねじ締めできないことから、作業性が悪化させる場合もある。ここで、「加締め」の文言は圧着することを意味し、「かしめ」（カシメ）である。
【００２１】
本発明は、上記従来の問題を解決するもので、より良好な作業性で、導電端子上のアンプ端子の誤挿入を防止できる端子台を提供することを目的とする。
【課題を解決するための手段】
【００２２】
本発明の端子台は、両側に締結用のねじ穴を持つ短冊状の導電端子と、該導電端子を保持する絶縁ユニットとを有する端子台において、該ねじ穴からピン先端部が突出方向に付勢された状態で出退自在に構成されたピンガイド手段が設けられたものであり、そのことにより上記目的が達成される。
【００２３】
本発明の端子台は、両側に締結用のねじ穴を持つ短冊状の導電端子と、該導電端子を保持する絶縁ユニットとを有する端子台において、該絶縁ユニットに、圧着端子の外形形状を規制して該圧着端子が誤挿入される圧着端子挿入口部に該圧着端子がセットできないように突出している突出部が設けられたものであり、そのことにより上記目的が達成される。
【００２４】
本発明の端子台は、両側に締結用のねじ穴を持つ短冊状の導電端子と、該導電端子を保持する絶縁ユニットとを有する端子台において、該絶縁ユニットに、圧着端子の外形形状を規制して該圧着端子が誤挿入される圧着端子挿入口部に該圧着端子がセットできないように突出している突出部が設けられ、該ねじ穴からピン先端部が突出方向に付勢された状態で出退自在に構成されたピンガイド手段が設けられたであり、そのことにより上記目的が達成される。
【００２５】
また、本発明の端子台におけるピンガイド手段は、前記ピン先端部が前記ねじ穴から上側に出退自在に設けられ、ピン途中にストッパ部を持つピンガイド部材と、該ピンガイド部材に付勢力を付与するばね部材とを有する。
【００２６】
さらに、本発明の端子台において、前記絶縁ユニットによって前記導電端子の表面に対して垂直方向に移動自在にガイドされる座金を持つ座金付のねじと、該座金付のねじの下端部が前記ねじ穴から離間する方向に該座金付のねじに付勢力を付与するばね部材とを有して、ねじアップ機能を持っている。
【００２７】
さらに、本発明の端子台における座金は、ねじを保持するねじ保持用穴を持つ座金部材と、該座金部材の一部からＬ字状に連設される支持部材とを有し、該支持部材の下方側に、前記ばね部材として圧縮ばねが取り付けられている。
【００２８】
さらに、本発明の端子台における座金は、前記支持部材の先端部分に、前記ピンガイド手段を前記ねじ穴から突出する突出方向に、前記ばね部材により付勢するための突起部を有している。
【００２９】
さらに、本発明の端子台における座金は、前記支持部材の先端部分が折り返されて、上方に開放するコ字状に屈曲され、その折り返し部分の下部側に前記ばね部材として圧縮ばねが取り付けられ、該圧縮ばねの付勢力により、該コ字状に屈曲した先端部が前記導電端子のねじ穴を下から上に貫通して突出している。
【００３０】
さらに、本発明の端子台における絶縁ユニットは、複数個その厚み方向に連結可能とされ、該絶縁ユニットのそれぞれに、少なくとも前記導電端子が収容されている。
【００３１】
さらに、本発明の端子台における絶縁ユニットは、前記導電端子を挟んで絶縁する隔壁から突出し、該隔壁間の片側または両側に設けられた圧着端子誤挿入規制用のガイドリブ部を有している。
【００３２】
さらに、本発明の端子台におけるガイドリブ部は、その上面部が手前側で高く奥側で低いテーパ状に形成されている。
【００３３】
上記構成により、以下、本発明の作用を説明する。
【００３４】
本発明においては、ねじ穴からピン先端部が突出方向に付勢された状態で出退自在に構成されたピンガイド手段が設けられている。
【００３５】
これによって、ピンガイド手段の先端部を圧着端子のねじ用穴内に通して引っ掛けるという明確な動作確認で、圧着端子のねじ用穴を導電端子のねじ穴上の最適位置にセットすることが可能となる。よって、良好な作業性で、導電端子上の圧着端子の誤挿入をより確実に防止できる。
【００３６】
また、本発明においては、絶縁ユニットに、圧着端子の外形形状を規制して圧着端子が誤挿入される圧着端子挿入口部に圧着端子がセットできないように突出されている突出部が設けられている。また、これに加えて、ねじ穴からピン先端部が突出方向に付勢された状態で出退自在に構成されたピンガイド手段が設けられている。
【００３７】
この突出部によって、圧着端子が誤挿入される圧着端子挿入口部には圧着端子をセットできないため、導電端子上の圧着端子の誤挿入をより確実に防止できる。しかも、従来のガイドリブのように導電端子のねじ穴上の最適位置に圧着端子を正確に位置規制させるものでは、その分、圧着端子を容易に素早く挿入できなかったが、本発明の突出部は、誤挿入する入口位置に圧着端子をセットできないようにしているだけであるため、寸法的にはラフにできていることから、作業性の点で、従来のガイドリブを用いたものに比べて良好である。
【発明の効果】
【００３８】
以上により、本発明によれば、ピンガイド手段の先端部を圧着端子のねじ用穴内に通して引っ掛けるという明確な動作確認で、圧着端子のねじ用穴を導電端子のねじ穴上の最適位置にセットできるため、より良好な作業性で、導電端子上のアンプ端子の誤挿入をより確実に防止することができる。また、絶縁ユニットの隔壁からの突出部によって、圧着端子が誤挿入される圧着端子挿入口部には圧着端子をセットできないようにするため、導電端子上の圧着端子の誤挿入をより確実に防止できる。
【発明を実施するための最良の形態】
【００３９】
以下に、本発明の端子台の実施形態１〜４をねじアップ式端子台に適用した場合について図面を参照しながら詳細に説明する。
（実施形態１）
図１（ａ）は、本発明の実施形態１に係るねじアップ式端子台の要部構成例を示す上面図、図１（ｂ）は、図１（ａ）のねじアップ式端子台の要部構成例を示す側面図である。
【００４０】
図１（ａ）および図１（ｂ）において、本実施形態１のねじアップ式端子台１０は、座金付のねじ１と、短冊状の金属板の両端部に締結用のねじ穴２を持つ導電端子としての端子３と、この端子３を保持すると共に端子３に対して垂直方向に座金付のねじ１を上下移動（アップ・ダウン）自在にガイドする絶縁部材からなるユニット４と、座金付のねじ１の下端部がねじ穴２から離間する方向（垂直方向）に、座金付のねじ１に付勢力を付与する圧縮ばね５と、先端部８ａが端子３のねじ穴２から上側に出退自在に位置し、ピン途中に鍔部８ｂを持つピンガイド部材８と、このピンガイド部材８のストッパ部としての鍔部８ｂに付勢力を付与するばね部材としての圧縮ばね９とを有している。これらのピンガイド部材８および圧縮ばね９によりピンガイド手段が構成され、ねじ穴２からピン先端部８ａが突出方向に付勢された状態で出退自在に設けられている。
【００４１】
座金付のねじ１は、ねじをその先端部分から座金１ａのねじ保持用穴内に通した後に座金側面を加締めることにより、ねじ首が座金１ａの保持用穴内で遊環状態で保持されるようになっている。この座金１ａは、ねじ保持用穴を有する四角状の座金部材と、この座金部材の一辺部分にＬ字状に連設する支持部材とから構成されている。この支持部材は、端子３に対して垂直方向に配置され、その先端部分には、圧縮ばね５が取り付けられている。
【００４２】
ユニット４は複数個その厚み方向に連結可能とされ、ユニット４のそれぞれに、座金付のねじ１、端子３、圧縮ばね５，９およびピンガイド部材８を収容している。
【００４３】
圧縮ばね５は、ユニット４内の端子３の下方位置に配置され、座金１ａの支持部材の途中の膨らみ部を上方向（ねじの端子３からの離間方向）に付勢するようになっている。
【００４４】
ピンガイド部材８は、ピン途中に設けられた鍔部８ｂをストッパとして、先端部８ａが端子３のねじ穴２を下方から上方に通して突出自在に位置し、電線６に接続された圧着端子（丸状またはフォーク状など）であるアンプ端子７のねじ用穴７ａ内にその先端部８ａを貫通可能としている。
【００４５】
圧縮ばね９は、ユニット４内の端子３の下方位置に配置され、このピンガイド部材８の鍔部８ｂを、先端部８ａの突出方向（上方向）に付勢力を付与している。
【００４６】
上記構成により、定期的なメンテナンス時などに、まず、座金付のねじ１を緩めると、座金付のねじ１の下方先端が端子３のねじ穴２から離脱し、圧縮ばね５の付勢力により座金付のねじ１の座金１ａと共にねじが端子３の表面に対して垂直方向にアップ移動する。
【００４７】
次に、アップしている座金付のねじ１の下方先端部と、端子３のねじ穴２から突出したピンガイド部材８の先端部８ａとの間隙内に、電線６が圧着されたアンプ端子７を挿入して、アンプ端子７のねじ用穴７ａ内にその先端部８ａを通して引っ掛ける。その後、座金付のねじ１をその座金１ａと共に下降させて、圧着端子のねじ用穴７ａを貫通したピンガイド部材８の先端部８ａと当接し、その先端部８ａを圧縮ばね９の付勢力に抗して下降させ、ねじの下方先端部を圧着端子のねじ用穴７ａ内に上から通して締め付けてアンプ端子７を端子３と座金付のねじ１の座金１ａとで挟み込むことにより、端子３と電線６とを連結する。
【００４８】
以上により、本実施形態１のねじアップ式端子台１０によれば、アップしている座金付のねじ１の下方先端部と、端子３のねじ穴２から突出したピンガイド部材８の先端部８ａとの間隙は、従来の端子入口部の両突出部上とねじの下方先端部との隙間に比べて十分に広く、アンプ端子７の奥側への挿入が容易で、かつ、アンプ端子７のねじ用穴７ａ内にその先端部８ａを通して引っ掛けるという明確な動作確認を通して、アンプ端子７のねじ用穴を端子３のねじ穴２上の最適位置にアンプ端子７をセットすることができるため、より良好な作業性で、従来のようにアンプ端子７の先端部分だけが座金１ａで押さえ付けられる誤挿入状態はなくなって、端子３上の最適な所定位置に対するアンプ端子７の誤挿入を正確に防止することができる。
【００４９】
なお、本実施形態１では、本発明のアンプ端子７の誤挿入防止対策として、ピンガイド部材８および圧縮ばね９を、ねじアップ式端子台に適用した場合について説明したが、これに限らず、ピンガイド部材８および圧縮ばね９を、ねじ締結をして導電端子を介して配線を連結する配線中継装置および配線分岐装置としての通常の端子台に適用することもできる。即ち、図２（ａ）に示すように、本発明の端子台１０Ａでは、ねじ締結時、ねじの下方先端部でピンガイド部材８の先端部８ａ上を、圧縮ばね９の不勢力に抗して端子３のねじ穴２内に押し込んで、図２（ｂ）に示すようにねじ締結を行う。この場合にも、本実施形態１の場合と同様に、より良好な作業性で、従来のようにアンプ端子７の先端部分だけが座金１ａで押さえ付けられる誤挿入状態はなくなって、端子３上の最適な所定位置へのアンプ端子７の誤挿入を正確に防止することができる本発明の効果を奏する。即ち、従来のように作業性を悪くせずに、より確実に、ピンガイド部材８（ガイドピン）により、圧着端子が不適切な位置で締め込まれるのを防止することができる。
（実施形態２）
上記実施形態１では、部品点数が、本発明のアンプ端子７の誤挿入防止対策として、ピンガイド部材８および圧縮ばね９の分だけ増えるが、本実施形態２では圧縮ばね９をねじアップ用の圧縮ばね５で共有する場合について説明する。
【００５０】
図３（ａ）は、本発明の実施形態２に係るねじアップ式端子台の要部構成例を示す上面図、図３（ｂ）は、図３（ａ）のねじアップ式端子台の要部構成例を示す側面図である。なお、ここでは、図１（ａ）および図１（ｂ）と同様の作用効果を奏する部材には同一の符号を付してその説明を省略する。
【００５１】
図３（ａ）および図３（ｂ）において、本実施形態２のねじアップ式端子台２０において、上記実施形態１と異なる構成は、座金付のねじ１１の座金１１ａには、四角状の座金部材からＬ字状に下方に屈曲した支持部材１１ｄの先端部分に、ねじアップ用の圧縮ばね５が取り付けられていると共に、この圧縮ばね５によりピンガイド部材８１を下から上に付勢する突起部１１ｅを有している点である。即ち、座金１１ａの下部からピンガイド部材８１（ガイドピン）を支持する突起部１１ｅが出ている。
【００５２】
ピンガイド部材８１は、その端部に設けられた鍔部８１ｂをストッパとして、先端部８１ａが端子３のねじ穴２を下方から上方に通して突出自在に位置し、電線６に接続された圧着端子（丸状またはフォーク状など）であるアンプ端子７のねじ用穴７ａ内にその先端部８ａを貫通可能としている。また、ピンガイド部材８１は、圧縮ばね５で付勢された突起部１１ｅによって鍔部８１ｂを下から上に押し上げつつ、ユニット４に設けられたガイドに沿って上下動可能となっている。ここでは、ネジアップ用の圧縮ばね５で、ピンガイド部材８１に対する付勢力を共用しており、ねじ締結時に、座金付のねじ１１を押し下げると、ばねの動きと一体になってピンガイド部材８１の先端部８１ａが下がって、ねじ締結時にその先端部８１ａが邪魔にならないようになっている。
【００５３】
以上により、本実施形態２のねじアップ式端子台２０によれば、アップしている座金付のねじ１１の下方先端部と、端子３のねじ穴２から突出したピンガイド部材８１の先端部８１ａとの間隙は、従来の端子入口部の両突出部上とねじの下方先端部との隙間に比べて十分に広く、アンプ端子７の奥側への挿入が容易で、かつ、アンプ端子７のねじ用穴７ａ内にその先端部８１ａを通して引っ掛けるという明確な動作確認を通して、アンプ端子７のねじ用穴を端子３のねじ穴２上の最適位置にアンプ端子７をセットすることができるため、より良好な作業性で、従来のようにアンプ端子７の先端部分だけが座金１１ａで押さえ付けられる誤挿入状態はなくなって、端子３上の最適な所定位置へのアンプ端子７の誤挿入を正確に防止することができる。しかも、この場合には、上記実施形態１に比べて、ピンガイド部材８および圧縮ばね９の分だけ増えるが、本実施形態２ではねじアップ用の圧縮ばね５で圧縮ばね９をも共有化できて、部品点数を減らすことができる。
【００５４】
なお、本実施形態２では、本発明のアンプ端子７の誤挿入防止対策として、上記実施形態１の圧縮ばね９を削減するように構成したが、これに限らず、座金付のねじの座金を工夫することによりピンガイド部材８１をも削減することもできる。これについて、図４（ａ）および図４（ｂ）を用いて説明する。
【００５５】
図４（ａ）は、本発明の実施形態２に係る他のねじアップ式端子台の要部構成例を示す上面図、図４（ｂ）は、図４（ａ）のねじアップ式端子台の要部構成例を示す側面図である。なお、ここでは、図３（ａ）および図３（ｂ）と同様の作用効果を奏する部材には同一の符号を付してその説明を省略する。
【００５６】
図３（ａ）および図３（ｂ）において、このねじアップ式端子台２０Ａにおいて、上記実施形態２と異なる構成は、座金付のねじ１２の座金１２ａには、四角状の座金部材からＬ字状に下方に屈曲した支持部材１２ｄの先端部分に、上方に開放するコ字状に屈曲されており、その下部にねじアップ用の圧縮ばね５が取り付けられていると共に、この圧縮ばね５により、上記ピンガイド部材８１の代わりにコ字状に屈曲した先端部１２ｅが端子１３のねじ穴２を下から上に貫通して突出している点である。即ち、座金１２ａは、支持部材１２ｄの先端部分が折り返されて、上方に開放するコ字状に屈曲され、その折り返し部分の下部にばね部材としての圧縮ばね５が取り付けられ、圧縮ばね５の付勢力によって、コ字状に屈曲した先端部１２ｅが端子３のねじ穴２を下から上に貫通して突出している。このように、端子３のねじ穴２から上に突出した先端部１２ｅは、ねじの締め込みにより下方に移動してねじの締結に邪魔をしない。
【００５７】
この場合にも、このねじアップ式端子台２０Ａでは、アップしている座金付のねじ１２の下方先端部と、端子３のねじ穴２から突出したピンガイド用の先端部１２ｅとの間隙は、従来の端子入口部の両突出部上とねじの下方先端部との隙間に比べて十分に広く、アンプ端子７の奥側への挿入が容易で、かつ、アンプ端子７のねじ用穴７ａ内にその先端部１２ｅを通して引っ掛けるという明確な動作確認を通して、アンプ端子７のねじ用穴を端子３のねじ穴２上の最適位置にアンプ端子７をセットすることができるため、より良好な作業性で、従来のようにアンプ端子７の先端部分だけが座金１２ａで押さえ付けられる誤挿入状態はなくなって、端子３上の最適な所定位置へのアンプ端子７の誤挿入を正確に防止することができる。しかも、この場合には、上記実施形態２に比べて、ピンガイド部材８および圧縮ばね９を共に削減でき、上記実施形態１，２に比べて部品点数を減らすことができる。
（実施形態３）
本発明のアンプ端子７の誤挿入防止対策として、ピンガイド部材８および圧縮ばね９を設けた上記実施形態１に、ガイドリブ部をユニットの隔壁から突出させた場合について説明する。
【００５８】
図５（ａ）は、本発明の実施形態３に係るねじアップ式端子台の要部構成例を示す上面図、図５（ｂ）は、図５（ａ）のねじアップ式端子台の要部構成例を示す側面図である。なお、ここでは、図１（ａ）および図１（ｂ）と同様の作用効果を奏する部材には同一の符号を付してその説明を省略する。
【００５９】
図５（ａ）および図５（ｂ）において、このねじアップ式端子台３０において、上記実施形態１と異なる構成は、ユニット４１の隔壁から突出部としてガイドリブ部４１ａを突出させている点である。このガイドリブ部４１ａをユニット４１の圧着端子挿入口の片側（または両側；ここでは片側）に設けている。ここでは、本発明のアンプ端子７の誤挿入防止対策としてのピンガイド部材８および圧縮ばね９と、アンプ端子７の誤挿入規制対策としてのガイドリブ部４１ａとを組み合わせて相乗効果を得ようとしている。
【００６０】
ガイドリブ部４１ａの高さは、低いと効果がないし、高いとアンプ端子７の挿入がしにくい。アンプ端子７の挿入を容易にするために、上端面が斜め上から斜め下に傾くテーパを付ける。このリブの高さはアンプ端子やねじのサイズによっても変わる。ねじの足先端とリブの上端部とを面一にしておくと、アンプ端子７を少し斜めにしてそのテーパ面に沿って容易に挿入して所定値にセットできる。リブで深くすると、検出の確実性は上がるが、物としては大きくなる。
【００６１】
したがって、本実施形態３のねじアップ式端子台３０によれば、アップしている座金付のねじ１の下方先端部と、端子３のねじ穴２から突出したピンガイド部材８の先端部８ａとの間隙の手前側に、これに組み合わせるように従来の端子入口部の突出部のようなガイドリブ部４１ａが設けられているが、このガイドリブ部４１ａはユニット４１の両隔壁の片側に設けられているだけで、かつ、ガイドリブ部４１ａの上端部には上から下に傾くテーパが付けられているので、従来の端子入口部の突出部上とねじの下方先端部との隙間にアンプ端子７を挿入する場合に比べて、本実施形態３の隙間は十分に挿入しやすく、アンプ端子７の奥側への挿入が容易で、かつ、アンプ端子７のねじ用穴７ａ内にその先端部８ａを通して引っ掛けるという明確な動作確認を通して、アンプ端子７のねじ用穴を端子３のねじ穴２上の最適位置にアンプ端子７をセットすることができる。このため、より良好な作業性で、従来のようにアンプ端子７の先端部分だけが座金１ａで押さえ付けられる誤挿入状態はなくなって、端子３上の最適な所定位置へのアンプ端子７の誤挿入を正確に防止することができる。
【００６２】
なお、本実施形態３では、本発明のアンプ端子７の誤挿入防止対策として、ピンガイド部材８および圧縮ばね９とガイドリブ部４１ａとを、ねじアップ式端子台に適用した場合について説明したが、これに限らず、ピンガイド部材８および圧縮ばね９とガイドリブ部４１ａとを、ねじ締結をして導電端子を介して配線を連結する配線中継装置および配線分岐装置としての通常の端子台に適用することもできる。
【００６３】
即ち、図６に示すように、通常の端子台３０Ａでは、ガイドリブ部４１ａのテーパ面に沿って、アンプ端子７を、“１”→“２”→“３”の順序で容易に挿入して、アンプ端子７のねじ用穴７ａをピンガイド部材８の先端部８ａで貫通させて端子３のねじ穴２上にセットする。これは、上記ねじアップ式端子台３０の場合も同様である。次のねじ締結時、ねじの下方端をピンガイド部材８の先端部８ａ上に当接させた状態で、圧縮ばね９の不勢力に抗して端子３のねじ穴２内に押し込んでねじ締結を行う。この場合にも、本実施形態１の場合と同様に、より良好な作業性で、従来のようにアンプ端子７の先端部分だけが座金で押さえ付けられる誤挿入状態はなくなって、端子３上の最適な所定位置へのアンプ端子７の誤挿入を正確に防止することができる本発明の効果を奏する。即ち、従来のように作業性を悪くせずに、より確実に、ピンガイド部材８（ガイドピン）により、圧着端子が不適切な位置で締め込まれるのを防止することができる。
（実施形態４）
上記実施形態３では、本発明のアンプ端子７の誤挿入防止対策として、ピンガイド部材８および圧縮ばね９とガイドリブ部４１ａとを、ねじアップ式端子台に適用した場合について説明したが、これに限らず、本実施形態４では、図７に示すようにアンプ端子７の誤挿入する位置にはセットできないようにするための突出部としてのガイドリブ部４２ａだけを、または、上記実施形態１，２のピンガイド部材とそのガイドリブ部４２ａとを組み合わせて、ねじアップ式端子台に適用できるし、また、上記通常の端子台にも適用できる。
【００６４】
このガイドリブ部４２ａは、上記実施形態３のガイドリブ部４１ａのように端子３のねじ穴２上の最適位置にアンプ端子７を位置規制使用とするものではなく、アンプ端子７の外形を規制してアンプ端子７の誤挿入する位置にはセットできないようにしている。なお、このガイドリブ部４２ａは、アンプ端子７の外形を規制して、端子３のねじ穴２上の最適位置以外の誤挿入する位置にはアンプ端子７がセットできないようにしている。
【００６５】
なお、本実施形態４では、前述したように、ガイドリブ部４２ａは、上記実施形態３のガイドリブ部４１ａのように端子３のねじ穴２上の最適位置にアンプ端子７を位置規制させようとするものではなく、アンプ端子７の誤挿入する入口位置にアンプ端子７をセットできないようにしているだけであるので、図８および図９の右側に示すように、圧着端子の挿入を容易にして作業性を良好にするために、寸法的にはラフにできていることから、図８に示すように、アンプ端子７を挿入セットしたときに、アンプ端子７のねじ用穴７ａと端子３のねじ穴２とがずれてねじ締めできない。これに対して、図８および図９の左側に示すように、ピンガイド部材８および圧縮ばね９とガイドリブ部４２ａとを組み合わせると、図８および図９の右側のような弊害を解決することができる。
【００６６】
以上のように、本発明の好ましい実施形態１〜４を用いて本発明を例示してきたが、本発明は、この実施形態１〜４に限定して解釈されるべきものではない。本発明は、特許請求の範囲によってのみその範囲が解釈されるべきであることが理解される。当業者は、本発明の具体的な好ましい実施形態１〜４の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００６７】
本発明は、例えば原子力発電所、火力発電所および変電所などの配電盤、制御盤および監視盤などに用いられる配線中継および分岐装置としての端子台の分野において、より良好な作業性で、端子１０３上の所定位置へのアンプ端子の誤挿入をより正確に防止することができる。
【図面の簡単な説明】
【００６８】
【図１】（ａ）は、本発明の実施形態１に係るねじアップ式端子台の要部構成例を示す上面図、（ｂ）は、（ａ）のねじアップ式端子台の要部構成例を示す側面図である。
【図２】（ａ）は、本発明の実施形態１に係るねじアップ式端子台とは別の通常の端子台の要部構成例を示す上面図、（ｂ）は、（ａ）の端子台の要部構成例を示す側面図である。
【図３】（ａ）は、本発明の実施形態２に係るねじアップ式端子台の要部構成例を示す上面図、（ｂ）は、（ａ）のねじアップ式端子台の要部構成例を示す側面図である。
【図４】（ａ）は、本発明の実施形態２に係る他のねじアップ式端子台の要部構成例を示す上面図、（ｂ）は、（ａ）のねじアップ式端子台の要部構成例を示す側面図である。
【図５】（ａ）は、本発明の実施形態３に係るねじアップ式端子台の要部構成例を示す上面図、（ｂ）は、（ａ）のねじアップ式端子台の要部構成例を示す側面図である。
【図６】本発明の実施形態３他の事例に係る通常の端子台の要部構成例を示す側面図である。
【図７】（ａ）は、本発明の実施形態４に係る通常の端子台の要部構成例を示す上面図、（ｂ）は、（ａ）の通常の端子台の要部構成例を示す側面図、（ｃ）は、（ａ）の通常の端子台の要部構成例を示す正面図である。
【図８】図７の端子台に圧着端子を取り付けた場合の構成例を示す上面図である。
【図９】図７の端子台に圧着端子を取り付けた場合の構成例を示す側面図である。
【図１０】特許文献１に開示されている従来のねじアップ式端子台の構成例を示す斜視図である。
【図１１】図１０のねじアップ式端子台のねじ締結前の状態を示す部分断面図である。
【図１２】図１０のねじアップ式端子台のねじ締結後の状態を示す部分断面図である。
【図１３】（ａ）は、アンプ端子の誤挿入状態を説明するための端子台1ユニット分の要部構成例を示す上面図、（ｂ）はその側面図、（ｃ）はその正面図である。
【図１４】特許文献１に開示されている従来のねじアップ式端子台の別の構成例を示す上面図である。
【図１５】図１４のねじアップ式端子台のねじ締結途中の状態を示す部分断面図である。
【図１６】図１４のねじアップ式端子台が複数連結された状態を示す正面図である。
【符号の説明】
【００６９】
１、１１、１２  座金付のねじ
１ａ、１１ａ、１２ａ  座金
１１ｄ、１２ｄ  支持部材
１２ｅ  先端部
２  ねじ穴
３  端子（導電端子）
４、４１  ユニット
４１ａ、４２ａ  ガイドリブ部
５、９  圧縮ばね（ばね部材）
６  電線
７  アンプ端子
７ａ  ねじ用穴
８、８１  ピンガイド部材
８ａ、８１ａ  先端部
８ｂ、８１ｂ  鍔部（ストッパ）
１０、２０、２０Ａ、３０  ねじアップ式端子台
１０Ａ、３０Ａ、４０  端子台
【図１】
2006318875.tif 000003
【図２】
2006318875.tif 000004
【図３】
2006318875.tif 000005
【図４】
2006318875.tif 000006
【図５】
2006318875.tif 000007
【図６】
2006318875.tif 000008
【図７】
2006318875.tif 000009
【図８】
2006318875.tif 000010
【図９】
2006318875.tif 000011
【図１０】
2006318875.tif 000012
【図１１】
2006318875.tif 000013
【図１２】
2006318875.tif 000014
【図１３】
2006318875.tif 000015
【図１４】
2006318875.tif 000016
【図１５】
2006318875.tif 000017
【図１６】
2006318875.tif 000018